(57)【要約】【課題】新聞紙などの載置物を整理するとともに束ねやすくする結束助成機能付き棚において、束ねやすさを向上する。【解決手段】水平面に対して傾斜している載置板１２を備えた結束助成機能付き棚１１において、載置板１２の上面の載置面１２ａにおける傾斜方向の下方の一点を頂点とする仮想の直角部を載置面１２ａ上に設定し、仮想の直角部の直角をなす二直線を共に傾斜方向と非平行且つ非直角とする。前述の二直線に沿って、載置面１２ａに対して垂直な規制壁１３が形成備え、規制壁１３同士の間に、載置面１２ａに載置される載置物Ｘの角を露出させる切欠き部１５を形成する。【選択図】図１
2019123547.tif 000002
【特許請求の範囲】
【請求項１】
水平面に対して傾斜している載置板を備えた結束助成機能付き棚であって、
前記載置板の上面の載置面における傾斜方向の下方の一点を頂点とする仮想の直角部が前記載置面上に設定され、
前記仮想の直角部の直角をなす二直線が共に前記傾斜方向と非平行且つ非直角であるとともに、
前記二直線に沿って、前記載置面に対して垂直な規制壁が形成され、
前記規制壁同士の間に、前記載置面に載置される載置物の角を露出させる切欠き部が形成された
結束助成機能付き棚。
【請求項２】
前記載置板が、結束材を通す分割溝部を相互間に有し同一平面上に配置された複数の載置板担体で構成されている
請求項１に記載の結束助成機能付き棚。
【請求項３】
前記切欠き部が、前記規制壁の起立方向における載置物の載置範囲内の全体にわたって連続している
請求項１または請求項２に記載の結束助成機能付き棚。
【請求項４】
前記分割溝部を閉塞する閉塞板を備えた
請求項２に記載の結束助成機能付き棚。
【発明の詳細な説明】
【技術分野】
【０００１】
この発明は、例えば新聞紙や紙葉類、雑誌、冊子、本などを整理するための棚に関し、より詳しくは、新聞紙などの載置物を結束しやすくする機能を備えた結束助成機能付き棚に関する。
【背景技術】
【０００２】
前述のような結束助成機能付き棚としては、下記特許文献１に開示されたものがある。特許文献１に開示の新聞立ては、方形の整理台の一つの角を上下方向で下げて傾斜させて、下辺、つまり下げた角を形成する２辺に、新聞紙等を支える支え板を取り付けて構成されている。支え板は、鉛直方向の上方に延びており、支え板の端同士は連結されて平面視Ｌ字状になっている。また、２枚の支え板には、ひもを縦横に張るために切り込みからなるひっかけが形成され、整理台における切り込みに対向する位置にも、切り込みからなるひっかけが形成されている。
【０００３】
このような構成の新聞立てでは、ひっかけを利用してひもを予め縦横に張っておいてから、新聞紙等を載置する。整理台は一つの角が下がるように傾斜しており、傾斜下方の２辺には支え板を備えているので、新聞紙等を下がった角の方向に寄せて平積み状に載置してゆくことができる。新聞紙等の結束は、張られてある紐を利用して行う。
【０００４】
しかし、支え板は平面視Ｌ字状になっており、角が閉じているので、図１１に示したように、載置物１０１を整理台１０２にのせた時に載置物１０１の角１０３が支え板１０４の角部分１０５に当たった状態で止まることがあり、順次重ねられる載置物１０１を耳がそろったきれいな状態に積み重ねられないことがある。また、傾斜の下方に位置する支え板１０４の角部分１０５が閉じているため、図１２に示したように、支え板１０４の角部分１０５の内側にごみや載置物１０１の切れ端などの異物１０６が溜まってしまうことがあり、この場合も載置物１０１をきれいに揃えられないことになる。
【０００５】
このように載置物の角がきれいに揃わない場合には、結束材で結束する際に、束ねた状態にずれが生じやすく、束ね難い。このような場合には、載置物を別途に揃え直したりする作業が必要になる。特に、新聞紙のように大型の紙を折りたたんで重ねたものである場合や、載置する時点で耳が揃っていない状態のものである場合には、束ねにくい。
【先行技術文献】
【特許文献】
【０００６】
【特許文献１】実開昭５８−３１１７９号公報
【発明の概要】
【発明が解決しようとする課題】
【０００７】
そこでこの発明は、束ねやすさを向上することを主な課題とする。
【課題を解決するための手段】
【０００８】
そのための手段は、水平面に対して傾斜している載置板を備えた結束助成機能付き棚であって、前記載置板の上面の載置面における傾斜方向の下方の一点を頂点とする仮想の直角部が前記載置面上に設定され、前記仮想の直角部の直角をなす二直線が共に前記傾斜方向と非平行且つ非直角であるとともに、前記二直線に沿って、前記載置面に対して垂直な規制壁が形成され、前記規制壁同士の間に、前記載置面に載置される載置物の角を露出させる切欠き部が形成された結束助成機能付き棚である。
【０００９】
この構成では、傾斜した載置板が上面の載置面の上に載せられる載置物を載置面上で規制壁側に寄せる。規制壁が載置物の対向する２辺を支えて載置物を載置板上に保持する。載置物を載置板上に載置したとき、規制壁同士の間の切欠き部は、載置物の角が当たって載置面上での載置物の位置が確定してしまうことを防止し、規制壁による載置物の２辺の支持を促して、載置物が揃った状態を安定して得やすくする。
【発明の効果】
【００１０】
以上のようにこの発明によれば、載置板上における載置物が揃った状態を安定して得ることが可能であるので、束ねやすさを向上することができる。
【図面の簡単な説明】
【００１１】
【図１】結束助成機能付き棚の正面図。
【図２】結束助成機能付き棚の側面図。
【図３】基本構造を説明する説明図。
【図４】載置板を水平にした載置板と規制壁の斜視図。
【図５】作用状態を示す平面図。
【図６】他の例に係る要部の斜視図。
【図７】他の例に係る結束助成機能付き棚の分解斜視図。
【図８】図７の使用状態を示す斜視図。
【図９】他の例に係る結束助成機能付き棚の分解斜視図。
【図１０】他の例に係る結束助成機能付き棚の斜視図。
【図１１】従来技術の説明図。
【図１２】従来技術の説明図。
【発明を実施するための形態】
【００１２】
この発明を実施するための一形態を、以下図面を用いて説明する。
【００１３】
図１は結束助成機能付き棚１１（以下、「整理棚」という）の正面図、図２はその側面図である。この整理棚１１は、読み終えた新聞紙や雑誌などはもちろんのこと、読みかけの新聞紙等を重ね合わせた状態に載置して整理しておくためのものであって、新聞紙等の載置物Ｘを結束する場合に、作業しやすくすることができるものである。つまり整理棚１１は、載置物Ｘを、きれいな整列状態で載置させる機能と、結束材（図示せず）をかけやすくする機能を有する。
【００１４】
これらの機能を有する整理棚１１は、載置物Ｘを載置する載置板１２と、載置板１２の上の載置物Ｘを整列させる規制壁１３と、載置板１２を支持する支持体１４で構成されている。
【００１５】
載置板１２は、平面視方形であり、水平面に対して傾斜しており、同一平面上に配置された複数の載置板担体２１で構成されている。載置板担体２１同士の間には、結束材を通す分割溝部２２を有する。
【００１６】
規制壁１３は、載置板１２の傾斜方向の下方の２辺の全体に、互いに直角をなす配置で形成されている。規制壁１３は、載置板１２の上面の載置面１２ａに対して垂直に立設されている。載置板１２は、前述のように複数の載置板担体２１で構成されているとともに、規制壁１３は載置板１２の２辺の全体に形成されているので、規制壁１３も複数の規制壁担体３１で構成されることになる。規制壁担体３１同士の間は、結束材を通す分割溝部３２である。
【００１７】
基本構造を示す説明図である図３を用いてより詳しく説明すると、載置板１２の上面の載置面１２ａにおける傾斜方向Ｄの下方の任意の一点を頂点Ｖとする仮想の直角部ＲＡが載置面１２ａ上に設定され、仮想の直角部ＲＡの直角をなす二直線Ａ，Ｂが共に傾斜方向Ｄと非平行且つ非直角であり、二直線Ａ，Ｂに沿って、載置面１２ａに対して垂直な規制壁１３が形成される。図３中、ＨＳは水平面である。
【００１８】
図３中、頂点Ｖは載置板１２の角に設定しているが、頂点Ｖは載置板１２の上面の内側に設定してもよい。頂点Ｖを載置板１２の内側に設定した場合には、二直線Ａ，Ｂも載置板１２の内側に設定されることになり、載置面１２ａは載置板１２の上面に一部に形成されることになる。
【００１９】
載置板１２の形状は方形のほか、円形や長円形など、適宜の形状とすることができる。
【００２０】
また、二直線Ａ，Ｂは、前述のように傾斜方向Ｄと平行でなく、且つ傾斜方向Ｄに対して直角でなければよいが、二直線Ａ，Ｂが共に水平面ＨＳに対して同じ傾斜角であるのが好ましい。これは載置面１２ａに載置する載置物Ｘを偏りなく頂点Ｖ側に寄せることができるからである。
【００２１】
そして、規制壁１３同士の間には、載置面１２ａに載置される載置物Ｘの角を露出させる適宜幅の切欠き部１５が形成されている。
【００２２】
図４に、載置板１２を傾斜させずに水平にした状態の載置板１２と規制壁１３を示す。長方形の載置板１２は、具体的には図４に示すように、分割溝部２２を介して長方形板を縦横に４分割した状態であり、長方形状をなす４個の載置板担体２１で構成されている。分割溝部２２は、載置板１２の長辺と短辺の中間部に１本ずつ形成されている。載置板担体２１のうち、載置板１２の隣り合う２辺を構成する載置板担体２１の端縁に、それぞれ規制壁担体３１が形成されている。
【００２３】
載置板１２の大きさは、載置物Ｘの大きさに合わせて設定される。載置物Ｘとして例えば新聞紙を載置可能にする場合には、載置板１２は、Ａ３サイズの紙を平積み状に載せられる大きさに設定するとよい。載置板１２を構成する載置板担体２１間の分割溝部２２の幅は、使用する結束材の幅を考慮して適宜設定される。縦横に延びる分割溝部２２の幅はすべて同一である。
【００２４】
規制壁１３も長方形板状に形成され、その高さは、載置物Ｘを積層する高さや載置物Ｘを平積み状ではなく立てて載置する場合には載置物Ｘの載置面１２ａに垂直な向きの高さを考慮して設定される。規制壁１３の分割溝部３２は、載置板１２の分割溝部２２と同一である。
【００２５】
規制壁１３間に形成される切欠き部１５は、規制壁１３が長方形であることから、載置面１２ａから規制壁１３の高さ方向全体に同一幅である。切欠き部１５の幅は、例えば載置物Ｘの種類に応じて、適宜設定される。
【００２６】
また、切欠き部１５は前述のように規制壁１３の高さ方向全体に形成されており、規制壁１３の高さは載置物Ｘや積層高さを考慮して設定されるので、切欠き部１５は載置物Ｘの載置範囲内の全体にわたって形成されることになる。
【００２７】
図４に仮想線で示したように、実線で示した載置板１２の切欠き部１５を有する部位の角１６（図３の頂点Ｖに相当）を支点として、載置板１２における規制壁１３が形成された２辺を適宜の角度上げた状態で載置板１２を支持体１４で支持すると、図１、図２に示したような整理棚１１を構成できる。
【００２８】
支持体１４は、適宜形状の板状である基台４１と、基台４１の上に立設された支柱４２とで固定される。載置板１２は４個の載置板担体２１で構成されているので、支柱４２は４本備えられ、１本の支柱４２で１枚の載置板担体２１を支える。支柱４２の長さは立設位置に応じてそれぞれ異ならせてあり、支柱４２の上端面４２ａは載置板１２の傾斜に対応して傾斜させてある。これによって、分割溝部２２，３２で分断された４個の載置板担体２１の上面を同一平面上に並べている。
【００２９】
以上のように構成された整理棚１１の作用及び効果を次に説明する。
【００３０】
整理棚１１の載置板１２に載置物Ｘを載置する際に、載置姿勢で切欠き部１５側に向ける一つの角を載置板１２の傾斜方向の下方に向けて載置物Ｘの載置を行うと、載置板１２がその傾斜によって載置物Ｘを規制壁１３側に寄せる。載置板１２に形成された規制壁１３は、載置物Ｘにおける前述の角を形成する２辺を受け止めて載置物Ｘを載置板１２上に保持する。このとき、図５に示したように、載置物Ｘの前述の角Ｘａが載置板１２の角１６に合致しておらずにずれていた場合であって、載置物Ｘの角Ｘａが前述の２辺のうちのいずれか一方と共に規制壁１３に当たって載置面１２ａ上で安定しようとしたときでも、規制壁１３同士の間の切欠き部１５が載置物Ｘの角Ｘａの傾斜下方への移動を促す。これによって、載置面１２ａ上での載置物Ｘの位置が確定してしまうことを抑制し、載置物Ｘの角Ｘａを形成する２辺に対応する位置の規制壁１３による支持を行う。
【００３１】
このため、図５に仮想線で示したように、載置物Ｘの前述の角Ｘａを載置板１２の角１６に合致させるような角寄せが行えるので、載置される載置物Ｘの角Ｘａが一定の位置に揃った載置状態を安定して得ることができる。
【００３２】
また、載置物Ｘを載置板１２の傾斜を利用して保持する規制壁１３は、載置面１２ａに対して垂直であるので、図５に示したように載置物Ｘを平積みする場合には、載置物Ｘ同士を積層方向に真っ直ぐに載置できて、この点からも載置物Ｘ傾斜下方の２辺の位置をきれいに揃えることができる。載置物Ｘを立てて載置する場合には、載置物Ｘと規制壁１３との間に隙間を作らずに載置できるので、この場合もきれいな整列状態を得ることができる。
【００３３】
しかも切欠き部１５は、規制壁１３の起立方向における載置物Ｘの載置範囲内の全体にわたって連続しているので、載置される載置物Ｘの全体に前述の作用を及ぼすことができる。
【００３４】
また、切欠き部１５は、隣接する規制壁１３同士の間に形成されており、載置物Ｘの角Ｘａを露出させる程度のものであり、下には載置板１２が存在するので、載置物Ｘの角Ｘａが著しく露出したり、載置物Ｘの角Ｘａが垂れ下がったりするようなことを回避でき、美麗な整列状態を得られる。
【００３５】
切欠き部１５は、載置物Ｘの角Ｘａが傾斜下方へ移動するのを促すほかに、常に異物を排出する機能を有するので、この点からも前述したような載置物Ｘの角Ｘａが揃った載置状態を得られる。
【００３６】
さらに、載置板１２は複数の載置板担体２１で構成して分割溝部２２を備えているので、載置した載置物Ｘを結束する必要がある場合には、載置物Ｘを載置板１２の上に載せた状態のまま、分割溝部２２，３２から適宜の紐などの結束材をかけまわして、結束を行うことができる。このため、結束作業は簡単である。しかも、前述のように載置物Ｘが揃った載置状態を得られるので、結束に際して再度並べ直す必要はなく、載置状態のまま結束が行える。この点からも作業性が良い。
【００３７】
以下、整理棚１１のその他の例について説明する。この説明において、前述の構成と同一の部位については同一の符号を付してその詳しい説明を省略する。
【００３８】
図６は、他の例に係る整理棚１１の要部の斜視図であり、切欠き部１５の下に位置する載置板１２の角１６は、規制壁１３の外側面と面一となる外側位置に存在させてもよい。また、切欠き部１５の上方において規制壁１３同士を平面視Ｌ字形に連結する連結部１７を形成してもよい。連結部１７は、規制壁１３の強度を高める機能を果たす。
【００３９】
前述のように載置板１２の角１６を規制壁１３の外周面位置に存在させる場合には、連結部１７を、実線で示したように規制壁１３の厚さ方向全体を連結する形状ではなく、仮想線で示したように、規制壁１３の厚み方向の外側位置にのみ存在する形状にすると、連結部１７を形成しても、切欠き部１５の機能を維持できる。
【００４０】
図７は、他の例に係る整理棚１１の斜視図であり、分割溝部２２，３２を閉塞する閉塞板１８を備えることができる。閉塞板１８は、薄い板材で形成されており、３枚ある。つまり、閉塞板１８は、載置板１２に対応する大きさの長方形に形成された載置面閉塞板１８ａと、規制壁１３に対応する大きさの長方形に形成された大きさの異なる２枚の規制面閉塞板１８ｂ，１８ｃである。
【００４１】
使用に際しては、図８に示したように、載置板１２の上面と、いずれか一方の規制壁１３の内側面にそれぞれ閉塞板１８を重ねてから載置物Ｘを載置する。
【００４２】
このように閉塞板を備えると、載置物Ｘを図８に示したように分割溝部２２，３２と平行に立てて並べる場合でも、載置物Ｘの厚みに関わらず載置物Ｘを載置できるという利点がある。
【００４３】
図９は、閉塞板１８を備える場合の他の例を示す斜視図であり、分割溝部２２，３２に沿って、閉塞板１８を落とし込む段差部２３，３３を形成している。つまり、４個の載置板２１担体における分割溝部２２，３２を形成する部位には、厚みを減らす段差部２３，３３が分割溝部２２，３２に沿って形成されている。
【００４４】
これに対して閉塞板１８は、段差部２３，３３に嵌め込まれる厚さの短冊状に形成され、２本備えられる。つまり閉塞板１８は、載置板１２の分割溝部２２の段差部２３に嵌って上面を載置面１２ａと面一にする載置面閉塞板１８ｄと、規制壁１３の分割溝部３２に嵌って上面を載置面１２ａと面一にする規制面閉塞板１８ｅを備えている。
【００４５】
載置面閉塞板１８ｄと規制面閉塞板１８ｅは、長手方向の一端に、断面Ｌ字状に曲がった係止部１８ｆを備え、載置面閉塞板１８ｄは、載置板１２の長辺の方向にも短辺の方向にも取り付けられる長さ、つまり短辺の方向の長さに対応する長さ以下であって、縦横に形成された分割溝部２２の交点までを閉塞する長さに設定されている。
【００４６】
このような構成の整理棚１１では、立てた姿勢で載置する載置物Ｘを並べる方向を考慮して、載置面閉塞板１８ｄと規制面閉塞板１８ｅをそれぞれ必要な位置の分割溝部２２，３２の段差部２３，３３に嵌める。段差部２３，３３に嵌めるときは、係止部１８ｆを載置板１２や規制壁１３の上端面に係止する。備える閉塞板１８が２本であり、しかも細い形態であり全体的に覆う場合に比べて小さいので、閉塞位置と閉塞板１８の数を必要最小限にできて効率的であるという利点がある。
【００４７】
図１０は、他の例に係る整理棚１１の斜視図であり、切欠き部１５が形成される側の１個の載置板担体２１にのみ規制壁１３を備えた例である。この構成では、規制壁１３の分割溝部３２を省略できる。
【００４８】
以上はこの発明を実施するための一形態の構成であって、この発明は前述の構成に限定されるものではなく、その他の構成を採用することもできる。
【００４９】
例えば、載置板１２は前述のように縦横にそれぞれ２分割ずつで４分割とするほか、例えば６分割としたり、縦又は横方向のみに複数分割としたりすることもできる。
【００５０】
また、規制壁１３は仮想の直角部の直角をなす二直線の全体ではなく一部のみに沿って形成してもよい。
【符号の説明】
【００５１】
１１…結束助成機能付き棚
１２…載置板
１２ａ…載置面
１３…規制壁
１５…切欠き部
１８…閉塞板
２１…載置板担体
２２…分割溝部
Ｘ…載置物
Ｄ…傾斜方向
Ｖ…頂点
ＲＡ…仮想の直角部
Ａ，Ｂ…直線
【図１】
2019123547.tif 000003
【図２】
2019123547.tif 000004
【図３】
2019123547.tif 000005
【図４】
2019123547.tif 000006
【図５】
2019123547.tif 000007
【図６】
2019123547.tif 000008
【図７】
2019123547.tif 000009
【図８】
2019123547.tif 000010
【図９】
2019123547.tif 000011
【図１０】
2019123547.tif 000012
【図１１】
2019123547.tif 000013
【図１２】
2019123547.tif 000014